(57)【要約】      （修正有）【課題】建物の出隅部を形成する２つの建築板の間に施工することが可能で、該建築板を破損しにくい建築板用ジョイナーを提供する。【解決手段】固定部ａ１と、突出部ｂ１と、係止部ｃ１と、緩衝材ｄ１とからなる。固定部は、平坦な板部である。突出部は、固定部と係止部の間に、該固定部及び係止部よりも前方に突出している。係止部は、突出部から固定部とは反対側に延びている。緩衝材は、係止部の前方であって、突出部の側面に接着されている。【選択図】図１
0003169710.tif 000002
【実用新案登録請求の範囲】
【請求項１】
建物の出隅部を形成するための２つの建築板の間に施工される建築板用ジョイナーであって、
固定部と、突出部と、係止部と、緩衝材とからなり、
固定部は、平坦な板部であり、
突出部は、固定部と係止部の間に、該固定部及び係止部よりも前方に突出しており、
係止部は、突出部から固定部とは反対側に延びており、
緩衝材は、係止部の前方であって、突出部の側面に接着されている
ことを特徴とする建築板用ジョイナー。
【請求項２】
請求項１に記載の建築板用ジョイナーであって、
前記緩衝材が接着されている突出部の側面は、係止部に対して垂直である
ことを特徴とする建築板用ジョイナー。
【請求項３】
請求項１に記載の建築板用ジョイナーであって、
前記緩衝材が接着されている突出部の側面は、係止部に対して傾斜をなしている
ことを特徴とする建築板用ジョイナー。
【請求項４】
請求項１に記載の建築板用ジョイナーであって、
別の緩衝材が、前記固定部の前方であって、前記突出部の側面に接着されている
ことを特徴とする建築板用ジョイナー。
【考案の詳細な説明】
【技術分野】
【０００１】
本考案は、建物の出隅部を形成する２つの建築板の間に施工することができる建築板用ジョイナーに関するものである。
【背景技術】
【０００２】
従来から、２枚の建築板を用いて、建物の出隅部を形成することが行われている。例えば、非特許文献１には、２枚の建築板を垂直となるように配して建物の出隅部を形成する際に、裏面に溝を有する建築板を用い、該溝にハットジョイナーを差し込んで固定することが開示されている。
【０００３】
非特許文献１によれば、施工時に建築板の位置をあわせることが容易で、施工後も該建築板は位置ズレが発生しにくい。しかし、ハットジョイナーを差し込んだ状態で建築板を固定しようとすると、該建築板は破損しやすいことが判明した。すなわち、建築板を固定する際に、該建築板を係止した状態の金具に釘を打ち込む、又は、該建築板に直接釘を打ち込むことが行われるが、いずれの方法を行っても該建築板に振動が与えられる。また、施工後でも地震等により建物が揺れると、建築板に振動が与えられる。その際に、建築板において、溝より外側にある部分は、ハットジョイナーを支点として揺れることとなり、破損しやすい。
【先行技術文献】
【非特許文献】
【０００４】
【非特許文献１】実用新案登録第３１６５５５１号公報
【考案の概要】
【考案が解決しようとする課題】
【０００５】
本考案は前述した事情に鑑みてなされたものであり、建物の出隅部を形成する２つの建築板の間に施工することが可能で、該建築板を破損しにくい建築板用ジョイナーを提供するものである。
【課題を解決するための手段】
【０００６】
本考案は、建物の出隅部を形成するための２つの建築板の間に施工される建築板用ジョイナーを提供する。本考案の建築板用ジョイナーは、固定部と、突出部と、係止部と、緩衝材とからなる。固定部は、平坦な板部である。突出部は、固定部と係止部の間に、該固定部及び係止部よりも前方に突出している。係止部は、突出部から固定部とは反対側に延びている。緩衝材は、係止部の前方であって、突出部の側面に接着されている。緩衝材としては、エチレンゴムやＥＰＤＭ（エチレン・プロピレンゴム）等からなるゴム発泡体、或いはポリエチレン等の合成樹脂発泡体等が例示される。これらの構成を有することで、本考案の建築板用ジョイナーを、建物の出隅部を形成するための２つの建築板の間に施工しても、該建築板に与えられた振動は、建築板用ジョイナーに設けられた緩衝材によって吸収し、該建築板の破損を防ぐことができる。なお、緩衝材が接着されている突出部の側面は、係止部に対して垂直に設けることができるし、傾斜としても良い。また、別の緩衝材が、固定部の前方であって、突出部の側面に接着されていても良い。
【考案の効果】
【０００７】
本考案によれば、建物の出隅部を形成する２つの建築板の間に施工することが可能で、該建築板を破損しにくい建築板用ジョイナーを提供することができる。
【図面の簡単な説明】
【０００８】
【図１】図１は、本考案にかかる建築板用ジョイナーの一実施例の斜視図である。
【図２】図２は、図１に示す建築板用ジョイナーを用いて形成された建物の施工状態を上から見た図である。
【図３】図３は、本考案にかかる建築板用ジョイナーの別の実施例の斜視図である。
【図４】図４は、本考案にかかる建築板用ジョイナーの更に別の実施例の斜視図である。
【図５】図５は、図４に示す建築板用ジョイナーを用いて形成された建物の施工状態を上から見た図である。
【図６】図６は、本考案にかかる建築板用ジョイナーの更に別の実施例の斜視図である。
【図７】図７は、本考案にかかる建築板用ジョイナーの更に別の実施例の斜視図である。
【図８】図８は、本考案にかかる建築板用ジョイナーの更に別の実施例の斜視図である。
【考案を実施するための形態】
【０００９】
以下、図面を参照しながら本考案について詳細に説明する。
【００１０】
図１は、本考案にかかる建築板用ジョイナーの一実施例の斜視図である。
図１に示す建築板用ジョイナーＡ１は、固定部ａ１と、突出部ｂ１と、係止部ｃ１と、緩衝材ｄ１とからなる。固定部ａ１は、平坦な板部であり、建築板用ジョイナーＡ１の上下に延びている。固定部ａ１の左端からは突出部ｂ１が、固定部ａ１よりも前方に突出するよう設けられている。詳しくは、固定部ａ１から延びた側面部と、該側面部の上端から固定部ａ１とは反対側に向かって延びた連結部と、該連結部の左端から後方に延びた側面部とからなる。なお、突出部ｂ１も、建築板用ジョイナーＡ１の上下にわたって延びている。更に、突出部ｂ１の左端からは係止部ｃ１が、固定部ａ１とは反対側に延びている。なお係止部ｃ１は、平坦な板部であり、固定部ａ１とは平行に設けられている。詳しくは、係止部ｃ１は、固定部ａ１の延長線上に設けられており、上から建築板用ジョイナーＡ１を見た際に、固定部ａ１と係止部ｃ１は同一直線上にある。なお、係止部ｃ１も、建築板用ジョイナーＡ１の上下にわたって延びている。よって、突出部ｂ１は、固定部ａ１と係止部ｃ１の間に、固定部ａ１及び係止部ｃ１よりも前方に突出するよう設けられている。
そして、係止部ｃ１と隣接した突出部ｂ１の側面部には、緩衝材ｄ１としてＥＰＤＭが接着されている。このＥＰＤＭは、突出部ｂ１の側面において、建築板用ジョイナーＡ１の上下にわたって延びている。よって、緩衝材ｄ１は、係止部ｃ１よりも前方に設けられている。なお、図１の建築板用ジョイナーＡ１において、係止部ｃ１と隣接した突出部ｂ１の側面部は、係止部ｃ１に対して垂直となるよう設けられている。
【００１１】
図２は、図１に示す建築板用ジョイナーＡ１を用いて形成された建築物の施工状態を上から見た図である。
図２は、建築物の出隅部分の施工状態を示しており、出隅部分となる柱の２辺には、胴縁Ｂ１と胴縁Ｂ２が、互いに垂直でＬ字形を形成するよう、端部を揃えた状態で、釘により固定されている。なお、柱と胴縁Ｂ１の間、及び柱と胴縁Ｂ２の間には、防水紙が挟まれている。
胴縁Ｂ１の外側には、スペーサーＤを介して建築板用ジョイナーＡ１が、建築板用ジョイナーＡ１の固定部ａ１に釘が打ち込まれて固定されている。建築板用ジョイナーＡ１の外側には、建築板Ｅ１が、端辺を、建築板用ジョイナーＡ１の固定部ａ１と隣接した突出部ｂ１の側面部に当接した状態で、留め付け金具Ｃ１により係止されている。ここで、留め付け金具Ｃ１は、胴縁Ｂ１から５mm離して建築板Ｅ１を係止しているので、スペーサーＤと建築板用ジョイナーＡ１は、建築板Ｅ１と胴縁Ｂ１に挟まれた状態であっても不具合は発生しない。また、建築板Ｅ１は、端辺を建築板用ジョイナーＡ１の固定部ａ１と隣接した突出部ｂ１の側面部に当接した状態で係止するので、容易に位置があわせられる。
胴縁Ｂ２の外側には、側面ｅ１が曲面状とされ、裏面に溝ｅ２を有する建築板Ｅ２が、溝ｅ２に建築板用ジョイナーＡ１の係止部ｃ１が挿入し、建築板Ｅ２の裏面が緩衝材ｄ１と当接した状態で、留め付け金具Ｃ１により係止されている。なお、建築板Ｅ２の溝ｅ２は、側面ｅ１よりも、板厚と同じ長さだけ内側の位置に、建築板Ｅ２の上下にわたって延びている。ここで、溝ｅ２に建築板用ジョイナーＡ１の係止部ｃ１が挿入されているのだが、建築板Ｅ２の裏面が緩衝材ｄ１と当接した状態で建築板Ｅ２を係止するので、施工、地震などの際に建築板Ｅ２に振動が与えられたとしても、緩衝材ｄ１によって振動が吸収され、建築板Ｅ２の破損を防ぐことができる。なお、従来と同じように、建築板Ｅ２の側面ｅ１と建築板Ｅ１の表面の位置が揃い、容易に位置があわせられる、建築板用ジョイナーＡ１は、胴縁Ｂ１に釘で固定されているので、建築板用ジョイナーＡ１によって建築板Ｅ１と建築板Ｅ２は強固に固定され、施工後に位置ズレが発生しないなどの効果も得られる。
なお、建築板Ｅ１と、建築板Ｅ２と、建築板用ジョイナーＡ１で囲まれた領域には、シーリングが充填されている。
【００１２】
図３は、本考案にかかる建築板用ジョイナーの別の実施例の斜視図である。
図３に示す建築板用ジョイナーＡ２は、緩衝材の形状以外は図１に示す建築板用ジョイナーＡ１と同じである。
建築板用ジョイナーＡ２では、係止部ｃ２と隣接した突出部ｂ２の側面部に、複数の緩衝材ｄ２が接着されている。なお、緩衝材ｄ２はＥＰＤＭである。しかし、建築板用ジョイナーＡ２を用いても、図２に示す施工構造を行うことができるとともに、建築板用ジョイナーＡ１と同様の効果を得ることができる。
【００１３】
図４は、本考案にかかる建築板用ジョイナーの更に別の実施例の斜視図である。
図４に示す建築板用ジョイナーＡ３は、突出部と緩衝材の形状以外は図１に示す建築板用ジョイナーＡ１と同じである。
建築板用ジョイナーＡ３では、係止部ｃ３と隣接した突出部ｂ３の側面部は、係止部ｃ３に対して垂直ではなく、傾斜をなしている。そして、該側面部に、複数の緩衝材ｄ３が接着されており、緩衝材ｄ３は、建築板Ｅ２と当接する面が係止部ｃ３に対して垂直となるよう設けられている。なお、緩衝材ｄ３はＥＰＤＭである。しかし、建築板用ジョイナーＡ３を用いても、図５に示ように、建物の出隅部を形成する２つの建築板の小口の間に施工することが可能であるとともに、建築板用ジョイナーＡ１と同様に、施工、地震などの際に建築板Ｅ２に振動が与えられたとしても、複数の緩衝材ｄ３によって振動が吸収され、建築板Ｅ２の破損を防ぐことができる。
【００１４】
図６は、本考案にかかる建築板用ジョイナーの更に別の実施例の斜視図である。
図６に示す建築板用ジョイナーＡ４は、固定部と隣接する突出部の側面部に緩衝材が接着されている以外は図１に示す建築板用ジョイナーＡ１と同じである。
建築板用ジョイナーＡ４では、固定部ａ４と隣接した突出部ｂ４の側面部には、緩衝材ｄ４が接着されており、緩衝材ｄ４は、建築板用ジョイナーＡの上下にわたって延びている。なお、緩衝材ｄ４はＥＰＤＭである。しかし、建築板用ジョイナーＡ４を用いても、建物の出隅部を形成する２つの建築板の小口の間に施工することが可能であるとともに、建築板用ジョイナーＡ１と同様の効果を得ることができる。また、固定部と隣接する突出部ｂ４の側面部に緩衝材ｄ４が配されているので、施工の際に建築板Ｅ１を激しく当接させたとしても建築板Ｅ１が破損することがなく、建築板Ｅ１と建築板用ジョイナーＡ４の間に隙間ができないなどの効果も奏する。
【００１５】
図７は、本考案にかかる建築板用ジョイナーの更に別の実施例の斜視図である。
図７に示す建築板用ジョイナーＡ５は、固定部と隣接する突出部の側面部に緩衝材が接着されている以外は図４に示す建築板用ジョイナーＡ３と同じである。
建築板用ジョイナーＡ５では、固定部ａ５と隣接した突出部ｂ５の側面部には、複数の緩衝材ｄ５が接着されている。なお、緩衝材ｄ５はＥＰＤＭである。しかし、建築板用ジョイナーＡ５を用いても、建物の出隅部を形成する２つの建築板の小口の間に施工することが可能であるとともに、建築板用ジョイナーＡ３と同様と同様の効果を得ることができる。また、固定部と隣接する突出部ｂ５の側面部に緩衝材ｄ５が配されているので、施工の際に建築板Ｅ１を激しく当接させたとしても建築板Ｅ１が破損することがなく、建築板Ｅ１と建築板用ジョイナーＡ５の間に隙間ができないなどの効果も奏する。
【００１６】
図８は、本考案にかかる建築板用ジョイナーの更に別の実施例の斜視図である。
図８に示す建築板用ジョイナーＡ６は、固定部と隣接する突出部の側面部に接着されている緩衝材の形状以外は図７に示す建築板用ジョイナーＡ５と同じである。
建築板用ジョイナーＡ６では、固定部ａ６と隣接した突出部ｂ６の側面部には、緩衝材ｄ６が接着されているが、緩衝材ｄ６は、建築板用ジョイナーＡ６の上下にわたって延びている。それ以外は建築板用ジョイナーＡ５と同じであり、建築板用ジョイナーＡ５と同様の効果を奏する。
【００１７】
以上に本考案の実施形態について説明したが、本考案はこれに限定されず、実用新案登録請求の範囲に記載の考案の範囲において種々の変形態を取り得る。例えば、図１、３、４、６、７、８においては、突出部の形状を、前方に向かうほど互いの側面部が離れるように設けたが、互いの側面部が一定距離を保った状態で前方に突出するように設けても良い。又は、突出部を半円柱状（上から見た際に半円に見えるよう）に設けても良い。
【産業上の利用可能性】
【００１８】
以上説明したように、本考案によれば、建物の出隅部を形成する２つの建築板の間に施工することが可能で、該建築板を破損しにくい建築板用ジョイナーを提供することができる。
【符号の説明】
【００１９】
Ａ１〜Ａ６      ジョイナー
Ｂ１〜Ｂ２      胴縁
Ｃ１〜Ｃ２      留め付け金具
Ｄ              スペーサー
Ｅ１〜Ｅ２      建築板
ａ１〜ａ６      固定部
ｂ１〜ｂ６      突出部
ｃ１〜ｃ６      係止部
ｄ１〜ｄ７      緩衝材
ｅ１            曲面形状の端辺
ｅ２            溝
【図１】
0003169710.tif 000003
【図２】
0003169710.tif 000004
【図３】
0003169710.tif 000005
【図４】
0003169710.tif 000006
【図５】
0003169710.tif 000007
【図６】
0003169710.tif 000008
【図７】
0003169710.tif 000009
【図８】
0003169710.tif 000010